(57)【要約】【課題】一つの電気的駆動源で複数の可動演出部材を動作可能としても、一部の可動演出部材については独立した動作をさせて演出効果を効果的なものにするとともに、電気的駆動源に対する負荷を少なくする。【解決手段】第１回転体（第３歯車３６５）の係合部（第１係合部３６５ａ）が第１リンク部材３２８に係合するよりも所定間隔だけ遅れて第２回転体（第４歯車３６６）の係合部（第２係合部３６６ａ）が第２リンク部材３４０に係合するようにし、一つの駆動モータ３５１（電気的駆動源）で第１可動演出部材３２０を所定間隔の間において第２可動演出部材３２１とは独立して動作可能とする。また、第１リンク部材３２８に第１付勢部材３５７を接続するとともに第２リンク部材３４０に第２付勢部材３５９を接続し、可動演出部材の上方向への回動動作を、第１付勢部材３５７と第２付勢部材３５９の付勢力により行う。【選択図】図９
2007195810.tif 000002
【特許請求の範囲】
【請求項１】
遊技盤に形成された遊技領域に配設され、前面側が開口した凹室の奥手側に窓部が形成されるセンターケースと、前記センターケースの窓部に表示部が臨むように配設される画像表示装置と、前記画像表示装置における表示を制御する表示制御手段と、を備え、
前記画像表示装置の表示態様が予め定められた特定表示態様となる場合に遊技者にとって有利な特別遊技状態を発生可能な遊技機において、
前記センターケースの上部に配設され、遊技に関する演出を行う可動演出機構を備え、
前記可動演出機構は、
前記センターケースの凹室内上部に配設され、前記画像表示装置の表示態様に関連して可動可能な可動演出部材と、
前記可動演出部材と所定間隔を介して前記センターケースの後方に配設され、前記表示制御手段により制御されて前記可動演出部材を可動させるための駆動モータと、
前記駆動モータと前記可動演出部材との間に配設され、前記駆動モータの動力を前記可動演出部材に伝達する動力伝達部材と、を備え、
前記可動演出部材は、
前記センターケースの凹室内の左右一側に配設され、左右一端側が該凹室内奥手側壁に軸着されることで他端側が上下に回動可能である横長な第１可動演出部材と、
前記センターケースの凹室内の左右他側に配設され、左右一端側が該凹室内奥手側壁に軸着されることで他端側が上下に回動可能である横長な第２可動演出部材と、からなり、
前記動力伝達部材は、
前記第１可動演出部材の回動端側に一端側が軸着されるとともに、前記第１可動演出部材の軸着端側寄りに形成される作動片に回動端側が係合する第１リンク部材と、
前記第２可動演出部材の回動端側に一端側が軸着されるとともに、前記第２可動演出部材の軸着端側寄りに形成される作動片に回動端側が係合する第２リンク部材と、
前記第１リンク部材に接続され、当該第１リンク部材の回動端側が上方向に回動するように付勢する第１付勢部材と、
前記第２リンク部材に接続され、当該第２リンク部材の回動端側が上方向に回動するように付勢する第２付勢部材と、
前記第１リンク部材に係合する係合部が形成され、前記駆動モータの駆動力を受けて回転することにより当該係合部が前記第１リンク部材に係合し、前記第１付勢部材の付勢力に抗して該第１リンク部材の回動端側を下方向に回動させる第１回転体と、
前記第２リンク部材に係合する係合部が形成され、前記駆動モータの駆動力を受けて回転することにより当該係合部が前記第２リンク部材に係合し、前記第２付勢部材の付勢力に抗して該第２リンク部材の回動端側を下方向に回動させる第２回転体と、を備え、
前記駆動モータが正転した場合には、前記第１リンク部材及び第２リンク部材が下方向に回動されることにより、前記第１可動演出部材及び前記第２可動演出部材が下方向に回動する一方、
前記駆動モータが反転した場合には、前記第１リンク部材及び第２リンク部材が上方向に回動されることにより、前記第１可動演出部材及び第２可動演出部材が上方向に回動するよう構成し、
前記第１回転体の係合部が前記第１リンク部材に係合するよりも所定間隔だけ遅れて前記第２回転体の係合部が前記第２リンク部材に係合するように設定したことを特徴とする遊技機。
【請求項２】
前記第１可動演出部材及び／又は前記第２可動演出部材は、下方向に回動されると全体あるいは一部が前記画像表示装置の表示部の前面を覆う状態になることを特徴とする請求項１に記載の遊技機。
【請求項３】
前記第１可動演出部材は、前記第２可動演出部材よりも大きく形成されていることを特徴とする請求項１又は２に記載の遊技機。
【請求項４】
前記可動演出部材と前記駆動モータとの間に、当該可動演出部材を照明する照明部材を備え、
前記照明部材は、
発光体と、該発光体からの光を拡散させる光拡散シートからなることを特徴とする請求項１から３のいずれか一項に記載の遊技機。
【発明の詳細な説明】
【技術分野】
【０００１】
本発明は、遊技領域に配設されたセンターケースに可動演出機構を備えた遊技機に関する。
【背景技術】
【０００２】
従来の遊技機においては、画像表示装置を備えたセンターケースが遊技盤に配設されている。また、近年の傾向として、遊技に関わる演出効果を向上させるために、センターケースの凹室内であって画像表示装置の近傍に、画像表示装置による演出に合わせて可動する可動演出部材（体）を複数配設したものが一般的になってきている。しかしながら、可動演出部材（体）やその電気的駆動源及び動力伝達部材からなる可動演出機構はセンターケース内の限られたスペース内に配設されるため、複数の可動演出部材（体）に対して個別に電気的駆動源を配置した可動演出機構をセンターケースに配設する場合には、その配置スペースが問題となる。そこで、可動演出部材（体）の各々に対して電気的駆動源を配置するのではなく、一つの電気的駆動源で複数の可動演出部材を同時に動作させるようにしたものが提案されている（例えば、特許文献１参照）。このようにすれば、電気的駆動源の数が減った分だけ配置スペースの問題が解消される。
【特許文献１】特開２００３−４１９９０５号公報
【発明の開示】
【発明が解決しようとする課題】
【０００３】
上記した遊技機では、電気的駆動源に動力伝達部材を接続し、該動力伝達部材が複数の可動演出部材に接続されることで、電気的駆動源からの動力が可動演出部材に伝達されて、複数の可動演出部材が同時に可動するようにしている。しかしながら、上記した構成では、複数の可動演出部材の各々が独立した動きをすることができないために、可動演出部材を複数配設したとしても演出態様が単調化してしまい、効果的に演出効果を向上させるものではなかった。また、動力伝達部材を介しているとはいえ、一つの電気的駆動源の動力のみで直接的に複数の可動演出部材を静止・可動させているために、電気的駆動源に掛かる負荷が増大し、故障や動作不良等の不具合の原因となる。そこで、故障や動作不良を減少させるために電気的駆動源を動力の強いものにすることも考えられるが、動力を強いものにすればするほど電気的駆動源のサイズも大きくなるので、その分だけ配置スペースを必要とするという問題点が再発してしまうことにもなりかねない。
【０００４】
本発明の課題は、遊技領域に配設されたセンターケースに可動演出機構を備えた遊技機において、一つの電気的駆動源で複数の可動演出部材を動作可能としても、一部の可動演出部材については独立した動作をさせて演出効果を効果的なものにするとともに、電気的駆動源に対する負荷をできるだけ減衰させることができるようにすることである。
【課題を解決するための手段】
【０００５】
以上の課題を解決するため、請求項１に記載の発明は、遊技盤に形成された遊技領域に配設され、前面側が開口した凹室の奥手側に窓部が形成されるセンターケースと、前記センターケースの窓部に表示部が臨むように配設される画像表示装置と、前記画像表示装置における表示を制御する表示制御手段と、を備え、
前記画像表示装置の表示態様が予め定められた特定表示態様となる場合に遊技者にとって有利な特別遊技状態を発生可能な遊技機において、
前記センターケースの上部に配設され、遊技に関する演出を行う可動演出機構を備え、
前記可動演出機構は、
前記センターケースの凹室内上部に配設され、前記画像表示装置の表示態様に関連して可動可能な可動演出部材と、
前記可動演出部材と所定間隔を介して前記センターケースの後方に配設され、前記表示制御手段により制御されて前記可動演出部材を可動させるための駆動モータと、
前記駆動モータと前記可動演出部材との間に配設され、前記駆動モータの動力を前記可動演出部材に伝達する動力伝達部材と、を備え、
前記可動演出部材は、
前記センターケースの凹室内の左右一側に配設され、左右一端側が該凹室内奥手側壁に軸着されることで他端側が上下に回動可能である横長な第１可動演出部材と、
前記センターケースの凹室内の左右他側に配設され、左右一端側が該凹室内奥手側壁に軸着されることで他端側が上下に回動可能である横長な第２可動演出部材と、からなり、
前記動力伝達部材は、
前記第１可動演出部材の回動端側に一端側が軸着されるとともに、前記第１可動演出部材の軸着端側寄りに形成される作動片に回動端側が係合する第１リンク部材と、
前記第２可動演出部材の回動端側に一端側が軸着されるとともに、前記第２可動演出部材の軸着端側寄りに形成される作動片に回動端側が係合する第２リンク部材と、
前記第１リンク部材に接続され、当該第１リンク部材の回動端側が上方向に回動するように付勢する第１付勢部材と、
前記第２リンク部材に接続され、当該第２リンク部材の回動端側が上方向に回動するように付勢する第２付勢部材と、
前記第１リンク部材に係合する係合部が形成され、前記駆動モータの駆動力を受けて回転することにより当該係合部が前記第１リンク部材に係合し、前記第１付勢部材の付勢力に抗して該第１リンク部材の回動端側を下方向に回動させる第１回転体と、
前記第２リンク部材に係合する係合部が形成され、前記駆動モータの駆動力を受けて回転することにより当該係合部が前記第２リンク部材に係合し、前記第２付勢部材の付勢力に抗して該第２リンク部材の回動端側を下方向に回動させる第２回転体と、を備え、
前記駆動モータが正転した場合には、前記第１リンク部材及び第２リンク部材が下方向に回動されることにより、前記第１可動演出部材及び前記第２可動演出部材が下方向に回動する一方、
前記駆動モータが反転した場合には、前記第１リンク部材及び第２リンク部材が上方向に回動されることにより、前記第１可動演出部材及び第２可動演出部材が上方向に回動するよう構成し、
前記第１回転体の係合部が前記第１リンク部材に係合するよりも所定間隔だけ遅れて前記第２回転体の係合部が前記第２リンク部材に係合するように設定したことを特徴とする。
【０００６】
ここで、「駆動モータ」は、例えばステッピングモータやシンクロナスモータなどのモータやロータリソレノイドである。
また、「動力伝達部材」は、歯車など、駆動モータの動力を伝達できるものであれば良い。
【０００７】
請求項１に記載の発明によれば、第１回転体の係合部が第１リンク部材に係合するよりも所定間隔だけ遅れて第２回転体の係合部が第２リンク部材に係合するように設定したので、一つの駆動モータ（電気的駆動源）で第１可動演出部材と第２可動演出部材を動作させたとしても、第１リンク部材は所定間隔の間（第１回転体の係合部が第１リンク部材に係合してから第２回転体の係合部が第２リンク部材に係合するまでの間）において第２リンク部材とは独立して動作することが可能となり、可動演出部材による演出態様が多様化することによって演出効果を向上させることができる。
【０００８】
また、第１リンク部材の回動端側が上方向に回動するように付勢する第１付勢部材を第１リンク部材に接続し、第２リンク部材の回動端側が上方向に回動するように付勢する第２付勢部材を第２リンク部材に接続したので、特に駆動モータに負荷がかかる可動演出部材の上方向への回動動作は、第１付勢部材と第２付勢部材の付勢力により行われる（補助される）ようになり、駆動モータにかかる負荷が軽減されて故障や動作不良等の不具合が起こり難くなるし、駆動力の強い駆動モータを使用する必要もなくなる。
【０００９】
さらに、リンク部材を、可動演出部材の回動端側に一端側を軸着するとともに、可動演出部材の軸着端側寄りに形成される作動片に回動端側が係合させることにより、可動演出部材とリンク部材を横方向に並べて配置する場合に比べて配置スペースが少なくて済むし、作動片が可動演出部材の軸着端側寄りに形成されているので、リンク部材の回動幅が小さくても可動演出部材は大きな動きをすることができるので、演出効果を高めることができる。
【００１０】
請求項２に記載の発明は、請求項１に記載の遊技機であって、前記第１可動演出部材及び／又は前記第２可動演出部材は、下方向に回動されると全体あるいは一部が前記画像表示装置の表示部の前面を覆う状態になることを特徴とする。
【００１１】
請求項２に記載の発明によれば、第１可動演出部材及び／又は第２可動演出部材が下方向に回動されると全体あるいは一部が画像表示装置の表示部の前面を覆う状態になるので、画像表示装置の表示部の表示内容と連動させることができ、興趣性の高い演出を行うことができる。
【００１２】
請求項３に記載の発明は、請求項１又は２に記載の遊技機であって、前記第１可動演出部材は、前記第２可動演出部材よりも大きく形成されていることを特徴とする。
【００１３】
請求項３に記載の発明によれば、独立して動作することができる第１可動演出部材を、第２可動演出部材よりも大きく形成することで、第１可動演出部材による演出効果を向上させることができる。
【００１４】
請求項４に記載の発明は、請求項１から３のいずれか一項に記載の遊技機であって、前記可動演出部材と前記駆動モータとの間に、当該可動演出部材を照明する照明部材を備え、
前記照明部材は、
発光体と、該発光体からの光を拡散させる光拡散シートからなることを特徴とする。
【００１５】
請求項４に記載の発明によれば、照明部材により可動演出部材を照明することができるので、遊技者の視線を可動演出部材に注視させることができるので演出効果を高めることができる。また、照明部材が発光体と、発光体からの光を拡散させる光拡散シートからなるので、発光体からの光を拡散させて可動演出部材を照明することができ、可動演出部材を幻想的に見せることができて演出効果が高まる。さらに、可動演出部材が可動されることにより、遊技者の目に映る照明部材からの光が変化することになるので、照明効果が高まる。
【発明の効果】
【００１６】
本発明によれば、第１回転体の係合部が第１リンク部材に係合するよりも所定間隔だけ遅れて第２回転体の係合部が第２リンク部材に係合するように設定したので、一つの駆動モータで第１可動演出部材と第２可動演出部材を動作させたとしても、第１リンク部材は所定間隔の間において第２リンク部材とは独立して動作することが可能となり、可動演出部材による演出態様が多様化することによって演出効果を向上させることができる。
【００１７】
また、第１リンク部材の回動端側が上方向に回動するように付勢する第１付勢部材を第１リンク部材に接続し、第２リンク部材の回動端側が上方向に回動するように付勢する第２付勢部材を第２リンク部材に接続したので、特に駆動モータに負荷がかかる可動演出部材の上方向への回動動作は、第１付勢部材と第２付勢部材の付勢力により行われる（補助される）ようになり、駆動モータにかかる負荷が軽減されて故障や動作不良等の不具合が起こり難くなるし、駆動力の強い駆動モータを使用する必要もなくなる。
【００１８】
さらに、リンク部材を、可動演出部材の回動端側に一端側を軸着するとともに、可動演出部材の軸着端側寄りに形成される作動片に回動端側が係合させることにより、配置スペースが少なくて済むし、作動片が可動演出部材の軸着端側寄りに形成されているので、リンク部材の回動幅が小さくても可動演出部材は大きな動きをすることができるので、演出効果を高めることができる。
【発明を実施するための最良の形態】
【００１９】
以下、この発明の実施形態について図面を参照して説明する。
ここでは、本発明にかかる遊技機の適例としてのパチンコ遊技機について図１から図１３を用いて説明を行う。
【００２０】
図１には、ガイドレール２で囲まれ、遊技球を発射して遊技を行う遊技領域１ａが前面側に形成された遊技盤１を示した。
なお、パチンコ遊技機の外枠であって島設備に固定される機枠や、遊技領域１ａの前面を覆うガラス枠、遊技領域１ａの下側に設けられ遊技球を収容する上皿、下皿を有するとともに、遊技者が発射操作を行うための操作ハンドルを備えた操作パネルなどは図示を省略している。
【００２１】
この遊技盤１のガイドレール２で囲まれた遊技領域１ａでは、図示しない発射装置によって発射された遊技球が流下するようになっている。
遊技領域１ａ内には、普図始動ゲート（図示略）、この普図始動ゲートを遊技球が通過して普図変動表示ゲームが未処理となっている未処理回数を表示する普図始動記憶表示器５、普通図柄の変動表示ゲームを表示する普図変動表示器３が設けられている。また、普通変動入賞装置７と、この普通変動入賞装置７に遊技球が入賞して特図の変動表示ゲームが未処理となっている未処理回数を点灯表示する特図始動記憶表示器６、特図の変動表示ゲームを表示する特図変動表示器１３が設けられている。
【００２２】
さらに、上端側が手前側に倒れる方向に回動して開放可能になっているアタッカ形式の開閉扉４ａを有し、特図の変動表示ゲームの結果如何によって大入賞口を閉じた状態（遊技者にとって不利な状態）から開放状態（遊技者にとって有利な状態）に変換する特別変動入賞装置４、入賞口などに入賞しなかった遊技球を回収するアウト穴９が設けられている。この他、遊技領域１ａには、一般入賞口８，８，…、打球方向変換部材としての風車１０、多数の障害釘などが配設されている。
【００２３】
また、遊技領域１ａの下半部には、遊技領域１ａを区画するガイドレール２の内周から遊技領域１ａの中央に向かう所定範囲に、遊技盤１の装飾をなす板状の遊技盤装飾部材１４，１４，１４が取り付けられている。また、遊技盤１の前面であって遊技盤装飾部材１４，１４，１４が配される部分は、板状の遊技盤装飾部材１４，１４，１４の厚みと略等しい深さの凹部が形成されており、遊技盤装飾部材１４，１４，１４を遊技盤１に配設した際に、遊技盤１の前面と遊技盤装飾部材１４，１４，１４の前面とが略同一面を形成するようになっている。
【００２４】
遊技盤装飾部材１４，１４，１４は、左、右及び中央に配される３つの部材からなり、このうち、左右に配される遊技盤装飾部材１４，１４には、その前面に一般入賞口８，８，…が形成されている。また、中央に配される遊技盤装飾部材１４には、普図始動記憶表示器５、普図変動表示器３、特図変動表示器１３、特図始動記憶表示器６が設けられており、さらに、中央部分には大入賞口をなす開口が形成され、その前面が開閉扉４ａによって覆われている。なお、この開閉扉４ａの前面にも遊技盤装飾部材１４と同じ装飾が施されている。また、遊技盤装飾部材１４，１４，１４の一部は光を透過可能な材質からなり、その後方に配された発光部材（ＬＥＤ）の発光による装飾も可能となっている。
【００２５】
普通変動入賞装置７は左右一対の開閉部材７ａを具備し、この開閉部材７ａは、常時は遊技球が１個流入可能な程度の間隔で閉じた状態（遊技者にとって不利な状態）を保持しているが、普図変動表示ゲームの結果が所定の停止表示態様となった場合には、図示しない駆動装置（例えばソレノイド）によって、逆「ハ」の字状に開いて普通変動入賞装置７に遊技球が流入し易い状態（遊技者にとって有利な状態）に変化させられるようになっている。この普通変動入賞装置７は、特図の始動入賞口も兼ねている。すなわち、普通変動入賞装置７の内部（入賞領域）に備えられた特図始動入賞口センサによって遊技球を検出することに基づき、特図の変動表示ゲームを開始する始動権利が発生するようになっている。
【００２６】
この特図の変動表示ゲームを開始する始動権利は、所定の上限数（例えば４）の範囲内で始動記憶（特図始動記憶）として記憶される。従って、特図の変動表示ゲームが開始可能な状態で、且つ、始動記憶数が０の状態で、普通変動入賞装置７に遊技球が入賞すると、始動権利の発生に伴って始動記憶が記憶されて、始動記憶数が１加算されるととともに、直ちに始動記憶に基づいて、特図の変動表示ゲームが開始され、この際に始動記憶数が１減算される。
【００２７】
一方、特図の変動表示ゲームが直ちに開始できない状態、例えば、既に特図の変動表示ゲームが行われ、その特図の変動表示ゲームが終了していない状態や、特別遊技状態となっている場合に、普通変動入賞装置７に遊技球が入賞すると、始動記憶数が上限数未満ならば、始動記憶数が１加算されて始動記憶が１つ記憶されることになる。そして、始動記憶数が１以上となった状態で、特図の変動表示ゲームが開始可能な状態（前回の特図の変動表示ゲームの終了もしくは特別遊技状態の終了）となると、始動記憶数が１減算されるとともに、記憶された始動記憶に基づいて特図の変動表示ゲームが開始される。なお、特図の変動表示ゲームの始動記憶は、ＬＥＤを備える特図始動記憶表示器６にて表示されるようになっており、始動記憶が１つ記憶されるのに対応してＬＥＤを１つ点灯し、始動記憶が１つ減算されるのに対応してＬＥＤを１つ消灯するようになっている。
【００２８】
特別図柄（特図、識別情報）の変動表示ゲームは、遊技領域１ａ内に設けられた７セグからなる特図変動表示器１３で実行され、ここで実行される特図の変動表示ゲームに対応する表示ゲームを画像表示装置１５に表示するようになっている。なお、遊技機１００に特図変動表示器１３を備えずに、画像表示装置１５のみで特図の変動表示ゲームを実行するようにしても良い。
【００２９】
普図始動ゲート内には、該普図始動ゲートを通過した遊技球を検出するための普図始動ゲートセンサが設けられている。そして、遊技領域１ａ内に打ち込まれた遊技球が普図始動ゲート内を通過すると、普図変動表示ゲームが行われる。また、普図変動表示ゲームを開始できない状態、例えば、既に普図変動表示ゲームが行われ、その普図変動表示ゲームが終了していない状態や、普図変動表示ゲームが当って普通変動入賞装置７が開状態に変換されている場合に、普図始動ゲートを遊技球が通過すると、普図始動記憶数の上限数未満でならば、普図始動記憶数が１加算されて普図始動記憶が１つ記憶されることとなる。なお、普図変動表示ゲームの始動記憶は、ＬＥＤを備える普図始動記憶表示器５にて表示されるようになっており、始動記憶が１つ記憶されるのに対応してＬＥＤを１つ点灯し、始動記憶が１つ減算されるのに対応してＬＥＤを１つ消灯するようになっている。
【００３０】
普図変動表示器３は、当りとはずれを表示するの二つのＬＥＤによって構成され、普図変動表示ゲームは、普図変動表示器３の点灯状態を所定時間変動表示させた後、停止表示させることにより行うようになっている。なお、画像表示装置１５の表示領域の一部で普図変動表示ゲームを表示するようにしても良く、この場合は識別図柄として、例えば、数字、記号、キャラクタ図柄などを用い、これを所定時間変動表示させた後、停止表示させることにより行うようにする。この普図変動表示ゲームの停止表示が特別の結果態様となれば、普図の当りとなって、普通変動入賞装置７の開閉部材７ａが所定時間（例えば、０.５秒間）上述のように開放される。これにより、普通変動入賞装置７に遊技球が入賞しやすくなり、特図の変動表示ゲームの始動が容易となる。
【００３１】
また、遊技領域１ａの略中央には、特図の変動表示ゲームの表示領域となる矩形状の表示窓部１２を形成するセンターケース１１が取り付けられており、表示窓部１２の後方には画像表示装置１５が配されている。この画像表示装置１５は、例えば、液晶ディスプレイを備え、表示内容が変化可能な表示部１５ａがセンターケース１１の表示窓部１２を介して遊技盤１の前面側から視認可能となるように配されている。なお、画像表示装置１５は、液晶ディスプレイを備えるものに限らず、ＥＬ、ＣＲＴ等のディスプレイを備えるものであっても良い。なお、センターケース１１の詳細な構成については後述する。
【００３２】
そして、遊技領域１ａ内に打ち込まれた遊技球が特図の始動口を兼ねる普通変動入賞装置７へ進入して始動条件が成立することに基づき、特図変動表示器１３において特図の変動表示ゲームを実行可能となっている。また、画像表示装置１５にて複数種類の識別情報（例えば、数字、記号、キャラクタ図柄など）を変動表示させる特図の変動表示ゲームに対応した表示ゲームを実行可能となっている。なお、この表示ゲームは、画像表示装置１５において、複数種類の識別情報を所定時間変動表示させることにより行う。
そして、この特図の変動表示ゲームの結果として、特図変動表示器１３の表示態様が特別結果態様（たとえば「７」）となった場合には、大当たりとなって特別遊技状態（いわゆる、大当たり状態）となる。また、これに対応して画像表示装置１５の表示態様も特別結果態様（例えば、「７，７，７」等のゾロ目数字の何れか）となる。
【００３３】
この例では、例えば、画像表示装置１５の表示部１５ａを左領域、中領域、右領域の三つに分け、各領域で１〜９までの数字（特図：識別情報）を順次変動表示した後に、三つの各領域の変動表示を順に停止し（例えば、左領域、右領域、中領域の順で停止）、停止図柄として各領域で１つの数字が表示される特図の変動表示ゲームが行われる。また、二つの領域の変動表示を停止し、残りの一つの領域が変動表示しているときに、停止した二つの領域の数字が同じ数字で停止した状態（リーチ状態）になったときには、最後に停止する図柄の停止方法を変化できるようにしている。このようなリーチ状態における変動表示の停止方法の変化（リーチアクション）としては、例えば、通常より変動表示の時間を長くしたり、キャラクタなどを登場させたりするものがある。また、まれに、あるリーチアクションから別のリーチアクションへ発展させたり、通常のリーチアクションとは違ったリーチアクション（いわゆるスペシャルリーチ、プレミアムリーチ）を出現させたりして遊技者の興趣を向上させるようにしている。
【００３４】
特別変動入賞装置４は、上端側が手前側に倒れる方向に回動して開放可能になっているアタッカ形式の開閉扉４ａによって開閉される大入賞口を備えていて、特別遊技状態中は、大入賞口を閉じた状態から開いた状態に変換することにより大入賞口内への遊技球の流入を容易にさせる。なお、開閉扉４ａは、例えば、ソレノイドのような駆動装置により駆動される。また、大入賞口の内部（入賞領域）には、該大入賞口に入った遊技球を検出するための大入賞口用センサが配設されている。
【００３５】
また、遊技領域１ａに設けられた各一般入賞口８，８，…には、一般入賞口８，８，…に入った遊技球を検出するための一般入賞センサが配設されている。そして、遊技を開始することにより遊技領域１ａ内に打ち込まれた遊技球が、一般入賞口８，８，…、始動入賞口（普通変動入賞装置７）、大入賞口等の入賞口の何れかに入賞すると、それぞれの入賞口に対応した所定数の賞球が排出される（払い出される）ようになっている。
【００３６】
図１に示すように、遊技領域１ａの略中央に配されるセンターケース１１は、中央に画像表示装置１５の表示領域を区画する矩形状の表示窓部１２を有するとともにその周囲に装飾が施され、遊技盤１に形成された開口（図示略）に前面側から嵌め込まれている。また、図２に示すように、センターケース１１の中央であって表示窓部１２が形成された部分は、所定の前後幅を有する筒状の空間となっており、この筒状の空間の後端部が画像表示装置１５の前面によって閉鎖されている。すなわち、センターケース１１の中央には、後方に窪んだ凹室１６が形成されている。
【００３７】
この後方に窪んだ凹室１６における下側の内周面には、遊技球が転動可能なステージ１７が形成されている。このステージ１７は、後述するように前方部分を形成する前側ステージユニット２１６と、後方部分を形成する後側ステージユニット３１１から形成されているが、この両ステージユニットの境界部分は段差があって、前方部分が低くなるように形成されている。ステージ１７は、前後それぞれ左右両側が中央に向かって下る傾斜面となっているとともに、中央部が上向きに突出した略Ｗ字状に形成されている。また、略Ｗ字状に形成されたステージ１７において、上向きに突出した中央部の両側に位置する最も低くなった部分は、前方に向かって下る傾斜面１８，１８，…とされている。また、ステージ１７は、表示窓部１２を形成する後述する後側ベース部材３０１に形成された矩形状の開口の下端よりも低い位置に形成されており、ステージ１７の後端部には後側ベース部材３０１の前端に沿った垂直な後壁３０９が配されている。
【００３８】
また、ステージ１７の左右方向の中央であって、遊技球が転動する面の下側には、遊技球が流下可能な流路である球誘導流路１９が形成されている。この球誘導流路１９は、前後方向に沿って延在するように形成された遊技球が一個流下可能な内径を有する筒状の流路で、前側に向かって下るように傾斜しており、下流側の端部となる出口２０はセンターケース１１の前面に開口している。そして、センターケース１１の前面に開口した出口２０の下方には、図１に示すように普通変動入賞装置７が設けられている。つまり、この球誘導流路１９を流下した遊技球は、高い確率で普通変動入賞装置７に入賞することとなる。なお、球誘導流路１９に流入せず、ステージ１７の前端部から遊技領域１ａに流下した遊技球は、球誘導流路１９を通過した場合よりは低い確率であるが、ステージ１７の外を流下する遊技球よりは高い確率で普通変動入賞装置７に入賞する可能性がある。
【００３９】
ステージ１７の下側に前後方向に沿って延在するように形成された球誘導流路１９には、ステージ１７から垂直に下方へ延在する流入流路２１，２１が接続している。この流入流路２１，２１は、前後二段となったステージ１７において、各段の後端部に接する面に形成された凹部３０１ｂ，３１５によって形成されており、流入口２２，２２となる上流側端部は上側および前側から遊技球を受け入れ可能にステージ１７上に開口している。また、ステージ１７の上面であって流入流路２１，２１の流入口２２，２２の前側には、ステージ１７上を転動する遊技球を流入口２２，２２に誘導するように、前後方向に沿って延在し、流入口２２，２２に向かって後方へ下る傾斜を有する溝部３１４，２１７ａがそれぞれ形成されている。この他にステージ１７の上面には、遊技球を誘導するように、ステージ１７の上面に対して垂直なリブ２３，２３，…が左右方向に沿って延在するように形成されている。
【００４０】
センターケース１１の前面側から見て左側には、センターケース１１の外側の遊技領域１ａを流下する遊技球を受け入れ、ステージ１７上へと誘導するワープ流路２４が形成されている。このワープ流路２４は、センターケース１１の前面側から見て左側に形成された遊技球が一個流下可能な内径を有する筒状の流路で、流入口２５をなす上流側端部がセンターケース１１の左側に開口し、ここから後方へ延在するとともに途中で下方に屈折した略Ｌ字状の流路である。このワープ流路２４の出口２６となる下流側端部は、ステージ１７の左側部の後端に開口しており、ワープ流路２４を流下した遊技球はここからステージ１７上に排出されるようになっている。
【００４１】
図３に示すように、センターケース１１は前側に配される前側構成ユニット２００と、後側に配される後側構成ユニット３００から構成されている。
このうち前側構成ユニット２００は、図４に示すように、枠状の前側ベース部材２０１を有し、この前側ベース部材２０１に各種の部材が取り付けられている。この枠状の前側ベース部材２０１は、周面を形成する周囲壁２０２を有し、この周囲壁２０２にねじ穴やねじ止め部、位置決めのためのボス、ボスを受け入れる凹部やリブを受け入れるスリットなどが形成され、各種部材を適切な位置に固定できるようになっている。また、周囲壁２０２の前端部には、該周囲壁２０２に対して垂直に外側に向かって延出する鍔状の取付ベース２０３が形成されている。
【００４２】
取付ベース２０３は、遊技盤１に形成された開口の周縁よりも外側に延出するように形成されており、開口にセンターケース１１を前面側から挿入した際に、遊技盤１の前面にその裏面が当接するようになっている。これによって、遊技盤１に対するセンターケース１１の前後位置が所定の前後位置に設定されるようになっている。また、この取付ベース２０３には、前後に貫通するねじ穴が複数形成されており、ねじによってセンターケース１１を遊技盤１に固定できるようになっている。さらに、取付ベース２０３は遊技盤１の前面側であって遊技者から視認可能な位置に配されるものであり、その前面には装飾が施されている。
【００４３】
また、前側ベース部材２０１の前面側から見て右側の周囲壁２０２の外周面には、光による装飾を行う装飾部材を取り付ける装飾部材取付部２０４，２０４が外側に延出するように形成されている。この装飾部材取付部２０４には、前面側に凹部２０５が形成され、この凹部２０５にレンズ部材２０６が嵌め込まれているとともに、その前面側がレンズカバー部材２０７によって覆われている。レンズ部材２０６は光を透過可能な材質からなり、板状のベース部２０６ａに発光させる部分の形状（本実施形態では桜の花びらを模した形状）をしたレンズ部２０６ｂ，２０６ｂ，…が前面側に突出するように形成されているとともに、所定の色（例えば、ピンク色）に着色されている。そして、レンズカバー部材２０７には、レンズ部材２０６の前面に突設されたレンズ部２０６ｂ，２０６ｂ，…に対応する位置に開口部２０７ａ，２０７ａ，…が形成されており、レンズ部２０６ｂ，２０６ｂ，…がこの開口部２０７ａ，２０７ａ，…からレンズカバー部材２０７の前面側に現出するようになっている。
【００４４】
また、レンズカバー部材２０７は、遊技盤１の前面側であって遊技者から視認可能な位置に配されるものであり、その前面には装飾が施されている。さらに、レンズカバー部材２０７は、装飾部材取付部２０４の外周よりも外側に延出するようになっており、上述した取付ベース２０３と同様の機能も有する。
【００４５】
なお、レンズカバー部材２０７の前面側は遊技領域１ａの一部をなしており、遊技球が流下可能となっている。よって、レンズ部材２０６のベース部２０６ａの厚みを装飾部材取付部２０４の前面側に形成された凹部２０５の深さと略等しくし、前面側がレンズカバー部材２０７で覆われた状態において、レンズ部材２０６が凹部２０５内で前後動しないようにしている。また、レンズ部２０６ｂ，２０６ｂ，…の突出幅を、レンズカバー部材２０７の厚みと略等しくし、レンズ部２０６ｂ，２０６ｂ，…が現出するレンズカバー部材２０７の開口部２０７ａ，２０７ａ，…において、大きな凹凸ができないようにして、遊技球の流下を妨げないようにしている。また、レンズカバー部材２０７の下部には、遊技球の流下方向を変更する流下方向変更部材としての突条２０７ｂが形成されており、遊技領域１ａの中央方向へ遊技球を誘導するようになっている。
【００４６】
また、装飾部材取付部２０４には、レンズ部材２０６のレンズ部２０６ｂ，２０６ｂ，…の位置に対応して前後に貫通する開口２０４ａ，２０４ａ，…が形成されており、さらに装飾部材取付部２０４の裏面側には、この開口２０４ａ，２０４ａ，…に対応する位置に発光部材としてのＬＥＤ２０８ａ，２０８ａ，…が配設されている。なお、ＬＥＤ２０８ａ，２０８ａ，…は、ＬＥＤ基板２０８に取り付けられており、このＬＥＤ基板２０８が基板カバー部材２０９によって装飾部材取付部２０４に取り付けられることで、ＬＥＤ２０８ａ，２０８ａ，…が開口２０４ａ，２０４ａ，…に対応する位置に配設されるようになっている。
【００４７】
ＬＥＤ基板２０８は、前面側に複数のＬＥＤ２０８ａ，２０８ａ，…を備えるとともに配線を接続するためのコネクタ部２０８ｂ，２０８ｂを備えている。また、この他に複数のねじ穴や位置決め用のボスを挿入する開口が形成されている。そして、このＬＥＤ基板２０８を保持するための基板カバー部材２０９には、前面側にねじ止め部や位置決め用のボスが形成されており、ＬＥＤ基板２０８を所定位置に固定できるようになっている。
【００４８】
さらに、基板カバー部材２０９の前面には、装飾部材取付部２０４の裏面側から後方へ突出するボス２０４ｂ，２０４ｂ，…を受け入れ可能な受入部２０９ａ，２０９ａ，…が形成されている。装飾部材取付部２０４のボス２０４ｂ，２０４ｂ，…には後端部にねじ止め部が形成され、また、受入部２０９ａ，２０９ａ，…にはねじ穴が形成されており、これらによって基板カバー部材２０９を装飾部材取付部２０４に対する所定位置に固定できるようになっている。
【００４９】
すなわち、ＬＥＤ基板２０８が基板カバー部材２０９の所定位置に固定されるとともに、基板カバー部材２０９が装飾部材取付部２０４の所定位置に固定されることで、ＬＥＤ基板２０８が装飾部材取付部２０４に対する所定位置に固定されることとなる。これによって、ＬＥＤ基板２０８のＬＥＤ２０８ａ，２０８ａ，…が、装飾部材取付部２０４に形成された開口２０４ａ，２０４ａ，…に対応した位置に配され、開口２０４ａ，２０４ａ，…を通じてレンズ部材２０６のレンズ部２０６ｂ，２０６ｂ，…を照らすことで光による装飾が可能となる。
【００５０】
なお、前側ベース部材２０１の前面側から見て右側の周囲壁２０２の外周面における最も下側に位置する装飾部材取付部２１０は、周囲壁２０２の前端から外側に延出する取付ベース２０３の裏面側に形成されており、取付ベース２０３がレンズカバー部材２０７としての機能を兼ねている。そして、この装飾部材取付部２１０に対して裏面側からレンズ部材２０６を取り付け、さらにその裏面に、ＬＥＤ基板２０８を配した基板カバー部材２０９を取り付けるようになっている。また、この装飾部材取付部２１０が形成された取付ベース２０３には、遊技球の流下方向を変更する流下方向変更部材としての風車１０が取り付けられており、遊技領域１ａの中央方向へ遊技球を誘導するようになっている。
【００５１】
前側ベース部材２０１の下部であって左右方向の中央には、上述した球誘導流路１９の前側部分１９ａが形成されている。ここに形成された球誘導流路１９の前側部分１９ａは、上側に開口した溝状に形成されており、後述するように、前側ベース部材２０１の下側の内周面に取り付けられる前側ステージユニット２１６によって上側が閉鎖されることで筒状の流路が形成されるようになっている。また、この球誘導流路１９の前側部分１９ａが形成された部分における前側ベース部材２０１の前端部には、球誘導流路１９の出口２０となる開口が形成されている。さらにこの前端部には、開口の周囲を装飾するように、中央に開口を有する板状の球誘導流路前飾り２１１が取り付けられている。
【００５２】
また、前側ベース部材２０１の前面側には鎧部材２１２が取り付けられている。この鎧部材２１２は、センターケース１１の上部および側部において、前方に向かって遊技領域１ａ内に突出するように配され、鎧部材２１２の前端が遊技領域１ａの前側を覆うガラス枠の内側のガラス板の裏面近傍に配置される。そして、鎧部材２１２は、遊技領域１ａを流下する遊技球が、センターケース１１の上側および側部から凹室１６内に進入するのを防止し、画像表示装置１５の視認性を確保するとともにステージ１７上への遊技球の流入数を制限するようになっている。
【００５３】
この鎧部材２１２は、基本的に前側ベース部材２０１の周囲壁２０２に沿って配されるようになっているが、前側ベース部材２０１における前面側から見た左上部においては、周囲壁２０２よりも内側に鎧部材取付部２１３が形成され、この前面側に鎧部材２１２が取り付けられている。なお、この鎧部材取付部２１３と周囲壁２０２によって囲まれる領域（鎧部材２１２の上側に位置する領域）の前面には、透明な部材からなるカバー部材２１４が取り付けられており、凹室１６内に配された後述する固定装飾部材３１９を視認可能とした状態で、ここから遊技球が凹室１６内へ侵入することを制限している。
【００５４】
前側ベース部材２０１の前面側から見て左側の側部には、上述したワープ流路２４の前側部分を形成するワープ流路前側構成部材２１５が取り付けられている。このワープ流路前側構成部材２１５は、ワープ流路２４への流入口２５を形成する流入口形成部材２１５ａと、該流入口形成部材２１５ａの後方に重なるように配されるとともに前側ベース部材２０１の周囲壁２０２の内側面に沿って配され、ワープ流路２４の前側部分となる流路を形成する流路形成部材２１５ｂとを有する。
【００５５】
流入口形成部材２１５ａは、前側ベース部材２０１の前側に突出するように配され、センターケース１１の左側に開口する流入口２５を形成し、この流入口２５に流入した遊技球を、その後方に配された流路形成部材２１５ｂに形成された流路に誘導するものである。流路形成部材２１５ｂに形成された流路は、前後方向に沿って延在するとともに後方に向かって下るように傾斜しており、流路形成部材２１５ｂの裏面側に配される後述するワープ流路後側構成部材３０７に形成された流路に連通するようになっている。
【００５６】
また、流入口形成部材２１５ａは不透明な材質からなり、流路形成部材２１５ｂの前面の一部を覆うように配される。この流入口形成部材２１５ａには、装飾として花びらの形状をかたどった前後に貫通する複数の開口が形成されている。そして、この流入口形成部材２１５ａの後方に配される流路形成部材２１５ｂは、透明な材質からなり、後述するように、後方から照射される光を透過可能となっている。すなわち、ワープ流路前側構成部材２１５の前部をなす流入口形成部材２１５ａの開口および、流入口形成部材２１５ａで覆われない流路形成部材２１５ｂの前面において後方から照射される光を視認可能となっており、光による装飾が可能となっている。
【００５７】
前側ベース部材２０１の下側の内周面には、ステージ１７の前方部分を形成する前側ステージユニット２１６が取り付けられている。この前側ステージユニット２１６は、遊技球が転動する面を形成する上部材２１７と、装飾部材としての下部材２１８とから構成されており、この二つの部材が上下に重なった状態で前側ベース部材２０１の下側の内周面に沿って配されている。
【００５８】
上部材２１７の上面は、上述したステージ１７をなす面であって、略Ｗ字状の傾斜面となっており、遊技球を球誘導流路１９に連通する流入流路２１の流入口２２に誘導する後方に傾斜した溝部２１７ａや、遊技球の転動方向を変更するリブ２３が形成されている。なお、流入流路２１は、前側ステージユニット２１６の後方に配される後述する後側ステージユニット３１１の前端部に形成された凹部３１５と、前側ステージユニット２１６の後端面とによって形成されている。
【００５９】
また、上部材２１７は透明な材質からなり、裏面には表面に細かい凹凸が形成された花びらの形状をかたどった領域が複数形成されている。そして、後述するように後方から照射された光が上部材２１７の端面から入射することでこの領域が光るようになっており、光による装飾が可能となっている。また、この上部材２１７の下側に重なって配される下部材２１８も透明な材質からなり、その上面には複数の溝部２１８ａ，２１８ａ，…が形成されている。この下部材２１８にも後方から光が照射され、この光が下部材２１８の端面から入射することで溝部２１８ａ，２１８ａ，…が光るようになっており、光による装飾が可能となっている。この下部材２１８における光による装飾は、透明な材質からなる上部材２１７を透して視認可能となっている。
【００６０】
図５に示すように、後側構成ユニット３００は、枠状の後側ベース部材３０１を有し、この後側ベース部材３０１に各種の部材が取り付けられている。この後側ベース部材３０１は、センターケース１１の後端部に位置するものであって、中央に矩形状の開口である表示窓部１２を有しており、この後側ベース部材３０１の裏面に画像表示装置１５の前面が当接した状態で固定されることで、画像表示装置１５の表示領域が区画されるようになっている。また、この表示窓部１２の周囲であって、後側ベース部材３０１の前面および裏面には、ねじ穴やねじ止め部、位置決めのためのボス、ボスを受け入れる凹部やリブなどが形成され、各種部材を適切な位置に固定できるようになっている。
【００６１】
後側ベース部材３０１の前面には、表示窓部１２の上下左右を囲むように、照明部材３０２，３０２，…が取り付けられている。この照明部材３０２は、前面側に複数の発光部材としてのＬＥＤ３０２ａ，３０２ａ，…を備えたＬＥＤ基板３０２ｂと、ＬＥＤ３０２ａ，３０２ａ，…から発せられた光を拡散し、面全体が発光するようにするその前面側に配された光拡散シート３０２ｃ（前面側から見て左側に配された照明部材３０２を除く）とからなる。このような構成を有する照明部材３０２，３０２，…によって、センターケース１１の凹室１６内を照らすことができ、光による装飾が可能となる。
【００６２】
後側ベース部材３０１の裏面側は、表示窓部１２を囲む周壁１２ａと後側ベース部材３０１の外周を囲む外周壁３０１ａとに挟まれた凹部となっており、この凹部となった裏面側の上部には、可動演出機構の一部として、凹室１６内で動作する可動演出部材としての第１可動演出部材３２０、第２可動演出部材３２１を駆動する駆動モータ３５１や動力伝達部材を備える可動ユニット３５０が配されている。なお、この可動演出機構の詳細については後述する。またこの他に後側ベース部材３０１の裏面側には、前面側に配されたＬＥＤ基板３０２ｂ，３０２ｂ，…のコネクタ部と対応する位置に開口が形成されており、配線がこの開口を通ってセンターケース１１の裏面側から図示しない制御手段に接続されるようになっている。
【００６３】
照明部材３０２，３０２，…が取り付けられた後側ベース部材３０１の前面には、該後側ベース部材３０１の前側をちょうど覆うように、透明な材質からなる枠状レンズ部材３０４が取り付けられている。この枠状レンズ部材３０４の中央には、後側ベース部材３０１に形成された表示窓部１２に対応するように矩形状の開口３０５が形成されており、この矩形状の開口３０５の周囲には、前面側から見て下側を除き、所定の前後幅を有するレンズ部３０６が形成されている。
【００６４】
なお、後述するように、枠状レンズ部材３０４の前面側には、第１可動演出部材３２０、第２可動演出部材３２１が配されている。すなわち、以上のことから、可動演出部材（第１可動演出部材３２０、第２可動演出部材３２１）と駆動モータ３５１との間に、当該可動演出部材を照明する照明部材３０２を備え、照明部材３０２は、発光体（ＬＥＤ３０２ａ）と、該発光体からの光を拡散させる光拡散シート３０２ｃからなっていることとなる。
【００６５】
また、枠状レンズ部材３０４の外周には、前方へ延出する板状の周囲壁３０４ａが形成されている。そして、この周囲壁３０４ａの前端部が前側構成ユニット２００に接続するようになっている。すなわち、後側構成ユニット３００においては後側ベース部材３０１の前側に枠状レンズ部材３０４が配され、さらにその前側に前側構成ユニット２００が配されている。そして、後側ベース部材３０１の外周壁３０１ａの外周面と枠状レンズ部材３０４の周囲壁３０４ａの外周面、および前側ベース部材２０１の周囲壁２０２の外周面は、略同一面を形成するようになっており、これらによってセンターケース１１の外周面が形成されている。
【００６６】
枠状レンズ部材３０４の前面側から見て左側の前面には、上述したワープ流路２４の後側部分を形成するワープ流路後側構成部材３０７が取り付けられている。このワープ流路後側構成部材３０７には、ワープ流路前側構成部材２１５に形成された流路に連通する流路が形成されている。図２に示すように、ワープ流路後側構成部材３０７に形成された流路は、ワープ流路前側構成部材２１５に形成された流路の下流側端部に接続するように、上流側端部がワープ流路後側構成部材３０７の前面に開口している。そして流路は、ワープ流路後側構成部材３０７の内部で下方に屈曲し、ワープ流路後側構成部材３０７の下端部近傍で裏面側に下流側端部が開口している。
【００６７】
このワープ流路後側構成部材３０７は、所定の前後幅を有するレンズ部３０６の前面に取り付けられているが、流路の下流側端部と対応する部分にはレンズ部３０６が形成されておらず、遊技球は周囲壁３０４ａの内周面上に排出されるようになっている。この部分における周囲壁３０４ａの内周面は、ステージ１７に向かって下る傾斜面となっており、遊技球はこの傾斜に沿ってステージ１７に向かって流下するようになっている。
【００６８】
また、ワープ流路後側構成部材３０７は透明な材質からなり、ＬＥＤ基板３０２ｂに設けられたＬＥＤから発せられ、枠状レンズ部材３０４を透して後方から照射される光を前方に透過可能となっており、レンズ部材としての機能も有する。このワープ流路後側構成部材３０７を透過した光は、ワープ流路前側構成部材２１５に入射し、上述したように、ワープ流路前側構成部材２１５の前部をなす流入口形成部材２１５ａの開口および、流入口形成部材２１５ａで覆われない流路形成部材２１５ｂの前面から視認可能となる。
【００６９】
なお、ワープ流路後側構成部材３０７の上部は、上述した鎧部材２１２の後方に重なって配されるようになっており、鎧部材２１２と同様の装飾が施され、装飾部材としての機能も有している。また、枠状レンズ部材３０４の前面であって、前面側から見て右下部にも、鎧部材２１２の後方に重なって配され、鎧部材２１２と同様の装飾が施されたレンズ部材３０８が取り付けられている。
【００７０】
枠状レンズ部材３０４の下部であって左右方向の中央には、上述した球誘導流路１９の後側部分１９ｂが形成されている。ここに形成された球誘導流路１９の後側部分１９ｂは、前後方向に延在し、上側に開口した溝状に形成されており、後述するように、枠状レンズ部材３０４の下側の内周面に取り付けられる後側ステージユニット３１１によって上側が閉鎖されることで筒状の流路が形成されるようになっている。
【００７１】
また、枠状レンズ部材３０４の下部後端部には、矩形状の表示窓部１２に対応した開口を形成するとともに、枠状レンズ部材３０４の後端面を形成するように、周囲壁３０４ａに対して垂直な板状の後壁３０９が形成されている。この後壁３０９における左右方向の中央であって、球誘導流路１９となる溝状の流路が形成された位置には、後壁３０９に上下方向に沿ったスリット３１０が形成されている。そして、このスリット３１０の前側下部が後側ステージユニット３１１の後端部によって閉鎖されるとともに、スリット３１０の裏側に後側ベース部材３０１の前面側下部に形成された溝状の凹部３０１ｂが配されることで、球誘導流路１９に連通する上下方向に延在した流入流路２１が形成されるようになっている。
【００７２】
枠状レンズ部材３０４の下側の内周面には、ステージ１７の後方部分を形成する後側ステージユニット３１１が取り付けられている。図６に示すように、この後側ステージユニット３１１は、上述した前側ステージユニット２１６と同様に、遊技球が転動する面を形成する上部材３１２と、装飾部材としての下部材３１３とから構成されており、この二つの部材が上下に重なった状態で枠状レンズ部材３０４の下側の内周面に沿って配されている。
【００７３】
上部材３１２の上面は略Ｗ字状の傾斜面となっており、遊技球の転動方向を変更するリブ２３，２３，…や、遊技球を球誘導流路１９の流入口に誘導する後方に傾斜した溝部３１４が形成されている。また、上部材３１２の前端面における左右方向の中央には、前側ステージユニット２１６とによって球誘導流路１９に連通する流入流路２１を形成する上下方向に延在する凹部３１５が形成されている。また、上部材３１２は透明な材質からなり、裏面には表面に細かい凹凸が形成された花びらの形状をかたどった領域３１６，３１６，…が複数形成されている。そして、枠状レンズ部材３０４を透して後方から照射された光が上部材の端面から入射することでこの領域が光るようになっており、光による装飾が可能となっている。
【００７４】
また、この上部材３１２の下側に重なって配される下部材３１３も透明な材質からなり、その上面には複数の溝部３１７，３１７，…が形成されている。この下部材３１３にも枠状レンズ部材３０４を透して後方から光が照射され、この光が下部材３１３の端面から入射することで溝部３１７，３１７，…が光るようになっており、光による装飾が可能となっている。この下部材３１３における光による装飾は、透明な材質からなる上部材３１２を透して視認可能となっている。また、この下部材３１３の上面には、花の形状を模した装飾部材３１８，３１８，…が配されている。図７（ｂ）に示すように、この装飾部材３１８，３１８，…は、上部材３１２と下部材３１３を重ね合わせた際に形成される空間部分にちょうど収容されるようになっており、透明な材質からなる上部材３１２を透して視認可能となっている。
【００７５】
また、図３、図７（ａ）に示すように、枠状レンズ部材３０４の前面であって、表示窓部１２の左右および上側には、固定装飾部材３１９，３１９，…が取り付けられている。この固定装飾部材３１９，３１９，…は、木の枝を模した部材の前面に花の形状を模した部材が取り付けられたものであって、枠状レンズ部材３０４の前面の所定位置に固定されるようになっている。
【００７６】
また、枠状レンズ部材３０４の前面であって中央に形成された矩形状の開口の上側には、上述の固定装飾部材３１９，３１９，…と同様に、木の枝を模した部材の前面に花の形状を模した部材が取り付けられた構成を有する第１可動演出部材３２０、第２可動演出部材３２１が配されている。この第１可動演出部材３２０、第２可動演出部材３２１は、一端が軸着されて上下動可能であり、遊技に関する演出を行うものである。この第１可動演出部材３２０、第２可動演出部材３２１の詳細については後述する。
【００７７】
次に、可動演出機構の詳細について説明する。この可動演出機構は、画像表示装置１５における表示を制御する表示制御手段の制御の下に可動演出部材としての第１可動演出部材３２０、第２可動演出部材３２１を動作することで、種々の演出を行うものである。この可動演出機構は、可動演出部材としての第１可動演出部材３２０、第２可動演出部材３２１と、可動演出部材を駆動する駆動源となる駆動モータ３５１と、駆動モータ３５１の駆動力を可動演出部材に伝達する動力伝達部材（可動ユニット３５０）とを備える。
【００７８】
図５に示すように、第１可動演出部材３２０は、枠状レンズ部材３０４の前面であって、中央に形成された矩形状の開口の上側における前面側から見て右側の領域に左右方向に延在するように配されている。この第１可動演出部材３２０は、固定装飾部材３１９，３１９，…と同様に木の枝を模した部材の前面に花の形状を模した部材が取り付けられたものであり、他の固定装飾部材３１９，３１９，…と合わせて凹室１６内における装飾の一部をなしている。
【００７９】
この第１可動演出部材３２０において、木の枝を模した形状をした部材は、図１０に示すように、取付部３２２としてその裏面側における一端部に、後方へ延出する回動軸３２３を有している。この回動軸３２３は、枠状レンズ部材３０４における矩形状の開口の右側に形成された挿通穴（図示略）に挿通され、かつ、回動軸３２３の後端部には挿通穴の径より大きい径を有する抜け止め部材３２４が取り付けられている。これによって第１可動演出部材３２０の左右一端側は、凹室１６の奥手側の壁をなす枠状レンズ部材３０４の前面に回動可能に取り付けられることとなる。
【００８０】
すなわち、左右方向に延在するように配された第１可動演出部材３２０は、センターケース１１の前面側から見て右端側に回動中心となる軸着端が位置し、この軸着端より左側に回動端が位置している。そして、このように一端部が回動可能に軸着された第１可動演出部材３２０は、図１１（ａ）に示すように、画像表示装置１５の表示部１５ａの前面側から退避した常態位置（非動作時の位置）を上限位置とし、ここから図１２（ａ）に示すように、回動端側が下方向に回動して画像表示装置１５の表示部１５ａの前面側に現出するようになっている。
【００８１】
なお、回動軸３２３は、取付部３２２の裏面から所定幅にわたって挿通穴の径より径が太い拡径部３２５が形成され、さらに、枠状レンズ部材３０４の前面には、挿通穴の周囲に沿って前側に突出するリブ（図示略）が形成されている。よって、第１可動演出部材３２０を枠状レンズ部材３０４の前面側に取り付けた状態においては、リブの前端に回動軸３２３の拡径部３２５の後端が接した状態となり、その分だけ第１可動演出部材３２０は枠状レンズ部材３０４の前面から離れた位置に配されるようになっている。
【００８２】
また、取付部３２２の裏面であって、延在方向に沿った中央よりも軸着端寄りの位置には、後方へ突出する軸状の作動片３２６が形成されている。この作動片３２６の突出幅は、第１可動演出部材３２０の裏面と枠状レンズ部材３０４の前面との間隔より狭く、第１可動演出部材３２０を枠状レンズ部材３０４の前面で動作させても接触しないようになっている。この作動片３２６には、動力伝達部材としての第１リンク部材３２８の回動端側に形成された接続部３３２が接続されている。
【００８３】
第１リンク部材３２８は、固定装飾部材３１９，３１９，…と同様に木の枝を模した装飾がなされた軸状の軸部３２９を有し、軸部３２９の一端部の裏面には、軸部３２９に対して垂直に後方へ延出する回動軸３３０が形成されている。この回動軸３３０は、枠状レンズ部材３０４における矩形状の開口の上側に形成された挿通穴３０４ｂに挿通され、かつ、回動軸３３０の後端部は後述する可動ユニット３５０の内部にあって、挿通穴３０４ｂの径より大きい第１被係合部材３５３が取り付けられている。これにより第１リンク部材３２８は枠状レンズ部材３０４の前面に回動可能に取り付けられている。
【００８４】
なお、第１リンク部材３２８の回動軸３３０も、軸部３２９の裏面から所定幅にわたって挿通穴３０４ｂより径が太い拡径部３３１が形成されているが、枠状レンズ部材３０４の前面側にある挿通穴３０４ｂの前端部分には、この拡径部３３１を収容可能な凹部が形成されている。これによって、第１リンク部材３２８を枠状レンズ部材３０４に取り付けた状態においては、拡径部３３１が凹部に収容され、軸部３２９の裏面が枠状レンズ部材３０４の前面に近接した位置に配されるようになっている。さらに、第１リンク部材３２８の枠状レンズ部材３０４の前面に配される部分の前後幅は、第１可動演出部材３２０の裏面と枠状レンズ部材３０４の前面との間隔より狭く、第１可動演出部材３２０の裏面側に重なることが可能となっている。そして、第１リンク部材３２８は、第１可動演出部材３２０が常態位置（非動作時の位置）にあるときには、大部分が第１可動演出部材３２０の裏面側に重なって配されるようになっており、前面側から見えにくくすることで装飾性を向上するようにしている。
【００８５】
また、第１リンク部材３２８の軸部３２９において、回動軸３３０が形成された一端部の反対側の端部となる他端部、すなわち回動端側には、第１可動演出部材３２０の作動片３２６に接続する接続部３３２が形成されている。この接続部３３２は軸部３２９の延在方向に沿って延在する長穴３３３を有しており、この長穴３３３には作動片３２６が前側から挿入され、該作動片３２６の後端部には抜け止め部材３２７が取り付けられている。これによって、作動片３２６が接続部３３２の長穴３３３に対し、長穴３３３の延在方向に沿って移動可能に取り付けられることとなる。
【００８６】
このように、第１可動演出部材３２０の回動軸３２３から回動端側に離れた位置に形成された作動片３２６に第１リンク部材３２８を接続することで、駆動モータ３５１への負担を軽減することができる。そして、作動片３２６を長穴３３３に沿って移動可能に取り付けることで、第１可動演出部材３２０の回動に伴い、作動片３２６と第１リンク部材３２８の回動軸３３０との間の距離が変化しても対応できる。
【００８７】
また、第１リンク部材３２８は、第１可動演出部材３２０が常態位置（非動作時の位置）にあるときには、軸部３２９が略左右方向に沿って水平に配され、かつ、接続部３３２が回動軸３３０よりも第１可動演出部材３２０の回動軸３２３側に配されるようになっている。よって、この常態位置から第１リンク部材３２８をセンターケース１１の前面側から見て時計回り方向に回動することで回動端側にある接続部３３２が下方に移動し、これに伴い第１可動演出部材３２０が下方に回動することとなる。また、第１リンク部材３２８を逆に反時計回り方向に回動することで、第１可動演出部材３２０が元の常態位置に戻ることを許容可能な状態となる。
【００８８】
第２可動演出部材３２１は、第１可動演出部材３２０と並ぶように、枠状レンズ部材３０４の前面であって、中央に形成された矩形状の開口の上側における前面側から見て左側の領域に左右方向に延在するように配されている。この第２可動演出部材３２１は、基本的には第１可動演出部材３２０と同様の構成を有しており、木の枝を模した取付部３３４の前面に花の形状を模した部材が取り付けられ、他の固定装飾部材３１９，３１９，…と合わせて凹室１６内における装飾の一部をなしている。なお、この第２可動演出部材３２１は、独立して動作可能な第１可動演出部材３２０よりも小さく形成されている。
【００８９】
また、第２可動演出部材３２１には第１可動演出部材３２０と同様に、取付部３３４に対して垂直に後方へ延出する回動軸３３５が形成されている。この回動軸３３５は、枠状レンズ部材３０４の矩形状の開口の上側に位置する領域における左端部に形成された挿通穴（図示略）に挿通され、かつ、回動軸３３５の後端部には挿通穴の径より径の大きい抜け止め部材３３６が取り付けられている。これによって、第２可動演出部材３２１の左右一端側は、凹室１６の奥手側の壁をなす枠状レンズ部材３０４の前面に回動可能に取り付けられることとなる。
【００９０】
すなわち、左右方向に延在するように配された第２可動演出部材３２１は、第１可動演出部材３２０とは反対に、センターケース１１の前面側から見て左端側に回動中心となる軸着端が位置し、この軸着端より右側に回動端が位置している。そして、このように一端部が回動可能に軸着された第２可動演出部材３２１は、図１１（ａ）に示すように、画像表示装置１５の表示部１５ａの前面側から退避した常態位置（非動作時の位置）を上限位置とし、ここから図１３（ａ）に示すように、回動端側が下方向に回動して画像表示装置１５の表示部１５ａの前面側に現出するようになっている。なお、後述するように第２可動演出部材３２１は、第１可動演出部材３２０が動作した後に動作するようになっているので、第２可動演出部材３２１と第１可動演出部材３２０は同時に画像表示装置１５の表示部１５ａの前面側に現出することとなる。
【００９１】
また、回動軸３３５には取付部３３４の裏面から所定幅にわたって挿通穴より径が太い拡径部３３７が形成されるとともに、挿通穴の周囲には前側に突出するリブが形成されており、第２可動演出部材３２１も枠状レンズ部材３０４の前面から所定幅離れた位置に配されるようになっている。さらに、取付部３３４の裏面であって、延在方向に沿った中央よりも軸着端寄りの位置には、後方へ突出する軸状の作動片３３８が形成され、この作動片３３８には、動力伝達部材としての第２リンク部材３４０の回動端側に形成された接続部３４４が接続されている。
【００９２】
第２リンク部材３４０も基本的には第１リンク部材３２８と同様の構成を有しており、木の枝を模した装飾がなされた軸状の軸部３４１を有し、軸部３４１の一端部の裏面には、軸部３４１に対して垂直に後方へ延出する回動軸３４２が形成されている。この回動軸３４２は、枠状レンズ部材３０４における矩形状の開口の上側に位置する領域に形成された挿通穴３０４ｃに挿通され、かつ、回動軸３４２の後端部は後述する可動ユニット３５０の内部にあって、挿通穴３０４ｃの径より大きい第２被係合部材３５４が取り付けられている。これにより第２リンク部材３４０は枠状レンズ部材３０４の前面に回動可能に取り付けられている。
【００９３】
なお、第２リンク部材３４０の回動軸３４２も、軸部３４１の裏面から所定幅にわたって挿通穴３０４ｃより径が太い拡径部３４３が形成されているが、この拡径部３４３が枠状レンズ部材３０４の挿通穴３０４ｃの前端部分に形成された凹部に収容されることで、軸部３４１の裏面が枠状レンズ部材３０４の前面に近接した位置に配されるようになっている。さらに、第２リンク部材３４０の枠状レンズ部材３０４の前面に配される部分の前後幅も、第２可動演出部材３２１の裏面と枠状レンズ部材３０４の前面との間隔より狭く、第２可動演出部材３２１の裏面側に重なることが可能となっている。そして、第２リンク部材３４０は、第２可動演出部材３２１が常態位置（非動作時の位置）にあるときには、大部分が第２可動演出部材３２１の裏面側に重なって配されるようになっており、前面側から見えにくくすることで装飾性を向上するようにしている。
【００９４】
また、第２リンク部材３４０の軸部３４１において、回動軸３４２が形成された一端部の反対側の端部となる他端部、すなわち回動端側には、軸部３４１の延在方向に沿って延在する長穴３４５を有する接続部３４４が形成されている。そして、この長穴３４５に第２可動演出部材３２１の作動片３３８を前側から挿入し、その後端部に抜け止め部材３３９を取り付けることで、作動片３３８が長穴３４５に沿って移動可能に取り付けられている。
【００９５】
また、第２リンク部材３４０は、第２可動演出部材３２１が常態位置（非動作時の位置）にあるときには、軸部３４１が略左右方向に沿って水平に配され、かつ、接続部３４４が回動軸３４２よりも第２可動演出部材３２１の回動軸３３５側に配されるようになっている。よって、この常態位置から第２リンク部材３４０をセンターケース１１の前面側から見て反時計回り方向に回動することで回動端側にある接続部３４４が下方に移動し、これに伴い第２可動演出部材３２１が下方に回動することとなる。また、第２リンク部材３４０を逆に時計回り方向に回動することで、第２可動演出部材３２１が元の常態位置に戻ることを許容可能な状態となる。
【００９６】
以上のことから、可動演出部材は、センターケース１１の凹室１６内の左右一側に配設され、左右一端側が該凹室１６内奥手側壁に軸着されることで他端側が上下に回動可能である横長な第１可動演出部材３２０と、センターケース１１の凹室１６内の左右他側に配設され、左右一端側が該凹室１６内奥手側壁に軸着されることで他端側が上下に回動可能である横長な第２可動演出部材３２１と、からなることとなる。
【００９７】
また、第１可動演出部材３２０は、第２可動演出部材３２１よりも大きく形成されていることとなる。
【００９８】
図２，３，５に示すように、動力伝達部材としての可動ユニット３５０は、後側ベース部材３０１の裏面側の上部にある凹部内に配されており、電気的駆動源としての駆動モータ３５１（ステッピングモータ）、凹部の後方を覆う可動ユニットベース部材３５２、駆動力を伝達する動力伝達部材としての複数の歯車３６３，３６４，３６５，３６６、第１リンク部材３２８に接続した第１被係合部材３５３、第２リンク部材３４０に接続した第２被係合部材３５４を備えている。
【００９９】
図９、図８（ａ）、図８（ｂ）に示すように、後側ベース部材３０１の裏面側上部の凹部には、リブ３５５で囲まれた伝達部材収納部３５６が形成されている。この伝達部材収納部３５６には、上述した第１リンク部材３２８の回動軸３３０、第２リンク部材３４０の回動軸３４２を挿通する挿通穴３０４ｂ，３０４ｃの後端部が開口しており、ここから第１リンク部材３２８の回動軸３３０、第２リンク部材３４０の回動軸３４２の後端部が露出している。そして、第１リンク部材３２８の回動軸３３０の後端部には、第１被係合部材３５３が取り付けられ、第２リンク部材３４０の回動軸３４２の後端部には、第２被係合部材３５４が取り付けられている。
【０１００】
第１被係合部材３５３は、回動軸３３０の後端部に固定される固定部３５３ａを有し、この固定部３５３ａからばね取付部３５３ｂと第１被係合部３５３ｃが回動軸３３０の径方向に沿って延出するように形成された略Ｌ字型をした部材で、回動軸３３０に装着することで、ばね取付部３５３ｂと第１被係合部３５３ｃが後側ベース部材３０１の裏面に沿って配される。そして第１被係合部材３５３は、第１被係合部３５３ｃが、歯車が配される中央方向に延出し、かつ、ばね取付部３５３ｂが、下方に延出するような向きで回動軸３３０の後端部に取り付けられている。
【０１０１】
ばね取付部３５３ｂはその先端がフック状に形成され、第１付勢部材３５７としての引張りコイルばねの一端を取り付け可能となっている。この第１ばね取付部３５３ｂに一端が取り付けられた第１付勢部材３５７の他端は、挿通穴３０４ｂより外側の位置であって、伝達部材収納部３５６の周囲を囲むリブ３５５の内側に形成されたフック状の第１取付部３５８に取り付けられている。これによって、下方に延出するように配された第１ばね取付部３５３ｂが、常に外側（裏面側から見て左側）に引っ張られるように付勢される。そして、センターケース１１の前面側から見て右側に配される第１可動演出部材３２０に接続した第１リンク部材３２８の回動軸３３０は、前面側から見て反時計回り方向に付勢されることとなる。これにより第１リンク部材３２８の接続部３３２（回動端側）が上方向に回動するように付勢され、通常時には、第１可動演出部材３２０が画像表示装置１５の表示部１５ａの前面側から退避した常態位置に配されることとなる。なお、このように上方向に付勢された第１可動演出部材３２０は、枠状レンズ部材３０４における矩形状の開口の上側に位置する領域に突設されたボス３０４ｄ（図５に図示）に係止されることにより常態位置で停止するようになっている。
【０１０２】
また、第１被係合部３５３ｃは棒状に形成されており、後述するように、第３歯車３６５の第１係合部３６５ａが係合し、上方向に押圧される部分である。なお、第１被係合部３５３ｃが第１係合部３６５ａにより押圧される方向は、第１被係合部３５３ｃが第１付勢部材３５７の付勢力に抗して回動軸３３０を回動する方向（回動軸３３０を前面側から見て時計回りに回動する方向）である。そして、これにより、第１リンク部材３２８の接続部３３２が下方向に回動され、第１可動演出部材３２０が画像表示装置１５の表示部１５ａの前面側に現出した状態となる。
【０１０３】
また、第２被係合部材３５４も第１被係合部材３５３と同様の構成であって、第２リンク部材３４０の回動軸３４２に固定される固定部３５４ａと、固定部３５４ａから延出する第２ばね取付部３５４ｂ、第２被係合部３５４ｃを有している。そして、第２被係合部３５４ｃが、歯車が配される中央方向に延出し、かつ、第２ばね取付部３５４ｂが、下方に延出するような向きで回動軸３４２の後端部に取り付けられている。
【０１０４】
また、第２ばね取付部３５４ｂには、第２付勢部材３５９としての引張りコイルばねの一端が取り付けられ、その他端は、挿通穴３０４ｃより外側に位置するリブ３５５の内側に形成された第２取付部３６０に取り付けられている。これによって、第２ばね取付部３５４ｂが常に外側（裏面側から見て右側）に引っ張られるように付勢され、第２可動演出部材３２１に接続した第２リンク部材３４０の回動軸３４２は、前面側から見て時計回り方向に付勢される。そして第２リンク部材３４０の接続部３４４（回動端側）が上方向に回動するように付勢され、通常時には、第２可動演出部材３２１が画像表示装置１５の表示部１５ａの前面側から退避した常態位置に配されることとなる。なお、このように上方向に付勢された第２可動演出部材３２１は、枠状レンズ部材３０４における矩形状の開口の上側に位置する領域に突設されたボス３０４ｅ（図５に図示）に係止されることにより常態位置で停止するようになっている。
【０１０５】
また、第２被係合部３５４ｃは棒状に形成され、後述するように、第４歯車３６６の第２係合部３６６ａが係合し、上方向に押圧される部分である。この第２被係合部３５４ｃが第２係合部３６６ａにより押圧される方向は、第２被係合部３５４ｃが第２付勢部材３５９の付勢力に抗して回動軸３４２を回動する方向（回動軸３４２を前面側から見て反時計回りに回動する方向）である。そして、これにより、第２リンク部材３４０の接続部３４４が下方向に回動され、第２可動演出部材３２１が画像表示装置１５の表示部１５ａの前面側に現出した状態となる。
【０１０６】
また、伝達部材収納部３５６をなす後側ベース部材３０１の裏面には、回動軸３６１，３６１，…が後方に突出するように形成されおり、この回動軸３６１，３６１，…に歯車３６３，３６４，３６５，３６６が回動可能に支持されている。なお、図９では駆動歯車３６２も示したが、この駆動歯車３６２は、伝達部材収納部３５６の裏面側を覆うように配される可動ユニットベース部材３５２に取り付けられた駆動モータ３５１の駆動軸３５１ａに取り付けられている。
【０１０７】
伝達部材収納部３５６には、駆動モータ３５１の駆動軸３５１ａに固定された駆動歯車３６２と噛み合う第１歯車３６３が配され、この第１歯車３６３と噛み合うように第１リンク部材３２８の回動軸３３０側に第２歯車３６４が配されている。さらに、第２歯車３６４と噛み合うように第１リンク部材３２８の回動軸３３０側に第３歯車３６５が配され、第１歯車３６３と噛み合うように第２リンク部材３４０の回動軸３４２側に第４歯車３６６が配されている。
【０１０８】
そして、第３歯車３６５、第４歯車３６６の前面側にはそれぞれ、径方向に沿って延出する第１係合部３６５ａ、第２係合部３６６ａが形成されている。この第３歯車３６５に形成された第１係合部３６５ａは、駆動モータ３５１の駆動力を受けて第３歯車３６５が回動することにより第１被係合部材３５３の第１被係合部３５３ｃの下側に係合するように配されている。この第１係合部３６５ａにより第１被係合部３５３ｃを上方向に押圧することで、第１付勢部材３５７の付勢力に抗して第１リンク部材３２８の接続部３３２（回動端側）が下方向に回動され、第１可動演出部材３２０が画像表示装置１５の表示部１５ａの前面側に現出した状態となる。すなわち第３歯車３６５が、駆動モータ３５１の駆動力を受けて回転することで第１リンク部材３２８の回動端側を下方向に回動させる第１回転体をなす。また、第３歯車３６５の裏面には、周方向に沿って所定範囲にリブ３６５ｂが形成されている。このリブ３６５ｂは、後述する位置検出センサ３６７によって検出可能なものであり、これによって、第１可動演出部材３２０の状態を検出できるようになっている。
【０１０９】
また、第４歯車３６６に形成された第２係合部３６６ａは、駆動モータ３５１の駆動力を受けて第４歯車３６６が回動することにより第２被係合部材３５４の第２被係合部３５４ｃの下側に係合するように配されている。この第２係合部３６６ａにより第２被係合部３５４ｃを上方向に押圧することで、第２付勢部材３５９の付勢力に抗して第２リンク部材３４０の接続部３４４（回動端側）が下方向に回動され、第２可動演出部材３２１が画像表示装置１５の表示部１５ａの前面側に現出した状態となる。すなわち第４歯車３６６が、駆動モータ３５１の駆動力を受けて回転することで第２リンク部材３４０の回動端側を下方向に回動させる第２回転体をなす。
【０１１０】
また、伝達部材収納部３５６をなす後側ベース部材３０１の裏面であって、第１被係合部３５３ｃの上方には、第１被係合部３５３ｃの回動範囲を規制するボス３５６ｂが突設されている。第１被係合部３５３ｃはこのボス３５６ｂに当接する位置が上限位置とされており、この上限位置にある状態では、後述するように第１可動演出部材３２０、第２可動演出部材３２１の両方が画像表示装置１５の表示部１５ａの前面側に現出した状態となる。
【０１１１】
なお、常態位置（非動作時の位置）において、第３歯車３６５の第１係合部３６５ａは第１被係合部３５３ｃの下側の近接した位置に配されるようになっているが、第４歯車３６６の第２係合部３６６ａは第２被係合部３５４ｃから若干離れた位置に配されるようになっている。よって、駆動モータ３５１の駆動により第３歯車３６５、第４歯車３６６が回動した際に、まず第３歯車３６５の第１係合部３６５ａが第１被係合部３５３ｃに係合し、所定間隔おいた後に第４歯車３６６の第２係合部３６６ａが第２被係合部３５４ｃに係合する。これにより、可動演出部材は、図１１（ａ）に示すような常態位置から、まず、図１２（ａ）に示すように第１可動演出部材３２０が動作し、その後、図１３（ａ）に示すように第２可動演出部材３２１が動作することとなる。
【０１１２】
図５に示すように、伝達部材収納部３５６の後方には可動ユニットベース部材３５２が取り付けられている。図８（ａ）に示すように、この可動ユニットベース部材３５２は、その外周面が伝達部材収納部３５６を囲むように形成されたリブ３５５に沿って配されるようになっており、伝達部材収納部３５６を覆って後方の開口を閉鎖するようになっている。また、可動ユニットベース部材３５２の前面には、伝達部材収納部３５６に形成されたボス３５６ａ，３５６ａ，３５６ａ（図９に図示）を受入可能な受入部３５２ａ，３５２ａ，３５２ａが形成され、伝達部材収納部３５６に対する所定の位置に可動ユニットベース部材３５２を配設できるようになっている。さらに、受入部３５２ａ，３５２ａ，３５２ａにはねじ穴が形成されているとともに、ボス３５６ａ，３５６ａ，３５６ａの後端部にはねじ止め部が形成されており、ねじによって可動ユニットベース部材３５２を固定できるようになっている。
【０１１３】
また、可動ユニットベース部材３５２の裏面には、電気的駆動源としての駆動モータ３５１を取り付けるモータ取付部３６８が形成されており、ここに前後方向に沿って前側に駆動軸３５１ａが延出するように駆動モータ３５１が取り付けられている。また、モータ取付部３６８には、駆動モータ３５１の駆動軸３５１ａが位置する部分に、前後に貫通した開口３６９が形成されており、この開口３６９を通って駆動軸３５１ａが可動ユニットベース部材３５２の前面側に突出するように配されている。また、可動ユニットベース部材３５２の前面側に延出する駆動軸３５１ａには、駆動歯車３６２が前面側から取り付けられており、上述したように伝達部材収納部３５６内に配された第１歯車３６３と噛み合うようになっている。
【０１１４】
さらに、可動ユニットベース部材３５２の前面側には、モータ取付部３６８に隣接してセンサ配設部３７０が形成されている。このセンサ配設部３７０が形成された位置は、可動ユニットベース部材３５２を伝達部材収納部３５６の後方に取り付けた際に、図８（ｂ）に示すように、第３歯車３６５と対向する位置となっている。このセンサ配設部３７０に配設される位置検出センサ３６７は、発光部と受光部が所定の間隔をおいて対向するように配された光センサであって、発光部と受光部との間における光を遮蔽する障害物の有無を検出可能なセンサである。そして、このような位置検出センサ３６７によって第３歯車３６５に形成されたリブ３６５ｂを検出できるようになっている。
【０１１５】
第３歯車に形成されたリブは、第１可動演出部材が常態位置にある際には発光部と受光部の間に無く、第３歯車が回動して第１可動演出部材が動作するのに合わせて発光部と受光部の間に入り検出されるように形成されている。よって、第３歯車のリブを位置検出センサ３６７によって検出することで、第１可動演出部材３２０の動作状態を検出できるようになっている。また、位置検出センサ３６７による検出信号は、可動演出機構を制御する表示制御手段に入力されるようになっている。
【０１１６】
また、可動ユニットベース部材３５２の上側の外周面には、後側ベース部材３０１の裏面側の凹部内であって、伝達部材収納部３５６の外側に配設される配線を保持する配線保持部材３７１，３７１が形成されている。
【０１１７】
以上のことから、動力伝達部材は、第１可動演出部材３２０の回動端側に一端側が軸着されるとともに、第１可動演出部材３２０の軸着端側寄りに形成される作動片３２６に回動端側が係合する第１リンク部材３２８と、第２可動演出部材３２１の回動端側に一端側が軸着されるとともに、第２可動演出部材３２１の軸着端側寄りに形成される作動片３３８に回動端側が係合する第２リンク部材３４０と、第１リンク部材３２８に接続され、当該第１リンク部材３２８の回動端側が上方向に回動するように付勢する第１付勢部材３５７と、第２リンク部材３４０に接続され、当該第２リンク部材３４０の回動端側が上方向に回動するように付勢する第２付勢部材３５９と、第１リンク部材３２８に係合する係合部（第１係合部３６５ａ）が形成され、駆動モータ３５１の駆動力を受けて回転することにより当該係合部が（第１被係合部材３５３を介して）第１リンク部材３２８に係合し、第１付勢部材３５７の付勢力に抗して該第１リンク部材３２８の回動端側を下方向に回動させる第１回転体（第３歯車３６５）と、第２リンク部材３４０に係合する係合部（第２係合部３６６ａ）が形成され、駆動モータ３５１の駆動力を受けて回転することにより当該係合部が（第２被係合部材３５４を介して）第２リンク部材３４０に係合し、第２付勢部材３５９の付勢力に抗して該第２リンク部材３４０の回動端側を下方向に回動させる第２回転体（第４歯車３６６）と、を備えたこととなる。
【０１１８】
次に、以上のように構成される可動演出機構における演出動作について説明する。
演出動作は、遊技を制御する遊技制御手段からのコマンドに基づき、表示制御手段の制御の下で行われるようになっており、変動表示ゲームの変動開始時、リーチ状態となった場合、特別遊技状態中などに、画像表示装置１５の表示態様に関連して第１可動演出部材３２０、第２可動演出部材３２１を動作させることで行われる。
【０１１９】
可動演出機構による演出が行われていない非動作時には、図１１に示すように、第１可動演出部材３２０、第２可動演出部材３２１は、表示窓部１２の前面から退避した常態位置に存在するようになっている。
【０１２０】
この非動作時において可動ユニット３５０内では、図１１（ｂ）に示すように、第３歯車３６５の第１係合部３６５ａと第１被係合部３５３ｃおよび第４歯車３６６の第２係合部３６６ａと第２被係合部３５４ｃがそれぞれ係合しない位置にある。これにより、第１被係合部３５３ｃ、第２被係合部３５４ｃには外部から力が加わっていない状態となっている。上述したように、第１被係合部材３５３は第１付勢部材３５７によって第１リンク部材３２８の接続部３３２（回動端側）を上方向に回動する方向に付勢され、第２被係合部材３５４は第２付勢部材３５９によって第２リンク部材３４０の接続部３４４（回動端側）を上方向に回動する方向に付勢されている。よって、第１被係合部３５３ｃ、第２被係合部３５４ｃに外部から力が加わっていない状態では、第１付勢部材３５７、第２付勢部材３５９の付勢力により、第１可動演出部材３２０、第２可動演出部材３２１は回動範囲の上限位置となる常態位置に配されることとなる。
【０１２１】
可動演出機構による演出を行う際には、表示制御手段により駆動モータ３５１を制御して駆動軸３５１ａを回転駆動し、駆動軸３５１ａに取り付けられた駆動歯車３６２をセンターケース１１の裏面側から見て反時計回り方向に回動させる。なお、この駆動軸３５１ａの回転方向を正転とする。
【０１２２】
駆動歯車３６２を裏面側から見て反時計回り回動させることで、第１歯車３６３、第２歯車３６４を介して第３歯車３６５が裏面側から見て時計回り方向に回動し、第３歯車３６５の第１係合部３６５ａが第１被係合部３５３ｃに対して下側から係合し上方向に押圧する。そして、第３歯車３６５の第１係合部３６５ａが第１付勢部材３５７の付勢力に抗して第１被係合部３５３ｃを上方向に押し上げ、第１被係合部材３５３に接続した第１リンク部材３２８の回動軸３３０を裏面側から見て反時計回り方向に回動させる。これにより第１リンク部材３２８は接続部３３２が下方に回動するように動作し、第１可動演出部材３２０が画像表示装置１５の表示部１５ａの前面側に現出する。またこのとき、第１リンク部材３２８の接続部３３２においては、第１可動演出部材３２０が下方に回動することに伴い、作動片３２６と第１リンク部材３２８の回動軸３３０との距離が長くなるので、作動片３２６が長穴３３３に沿って回動端側にスライドする。
【０１２３】
また、第３歯車３６５が回動するのに伴い、第３歯車３６５に形成されたリブ３６５ｂが位置検出センサ３６７の発光部と受光部の間に入って検出され、その検出信号が表示制御手段に入力される。これにより表示制御手段において、第１可動演出部材３２０が動作状態にあることを認識できるようになっている。
【０１２４】
また、駆動モータ３５１の駆動により、第１歯車３６３を介して第４歯車３６６はセンターケース１１の裏面側から見て反時計回り方向に回動し、第４歯車３６６に形成された第２係合部３６６ａも第２被係合部材３５４に形成された第２被係合部３５４ｃに近づくように上方向へ移動する。ここで、上述したように、常態位置（非動作時の位置）において第４歯車３６６の第２係合部３６６ａと第２被係合部３５４ｃは、第３歯車３６５の第１係合部３６５ａと第１被係合部３５３ｃとの間隔より離れて配されるようになっている。よって、図１２（ｂ）に示す状態では、未だ第４歯車３６６の第２係合部３６６ａが第２被係合部３５４ｃを押し上げる状態にはなっておらず、第２リンク部材３４０は、非動作時の状態のままとなっている。すなわち、図１２に示す状態では、第１可動演出部材３２０のみが動作している。
【０１２５】
図１２に示す状態から、さらに駆動モータ３５１を駆動すると、図１３（ｂ）に示すように、第４歯車３６６の第２係合部３６６ａが第２被係合部３５４ｃに対して下側から係合し上方向に押圧する。そして、第４歯車３６６の第２係合部３６６ａが第２付勢部材３５９の付勢力に抗して第２被係合部３５４ｃを上方向に押し上げ、第２被係合部材３５４に接続した第２リンク部材３４０の回動軸３４２を裏面側から見て時計回り方向に回動させる。これにより第２リンク部材３４０は接続部３４４が下方に回動するように動作し、図１３（ａ）に示すように、第１可動演出部材３２０に加えて第２可動演出部材３２１も画像表示装置１５の表示部１５ａの前面側に現出する。またこのとき、第２リンク部材３４０の接続部３４４においては、第２可動演出部材３２１が下方に回動することに伴い、作動片３３８と第２リンク部材３４０の回動軸３４２との距離が長くなるので、作動片３３８が長穴３４５に沿って回動端側にスライドする。
【０１２６】
なお、図１３（ｂ）示すように、第３歯車３６５の第１係合部３６５ａは、図１２（ｂ）に示す状態よりも、さらに第１被係合部３５３ｃを上方向に押し上げた状態となる。よって、図１３（ａ）に示すように、第１可動演出部材３２０は、図１２（ａ）に示す状態よりもより大きく下方に回動することとなる。また、図１３（ｂ）に示すように、第１被係合部３５３ｃが上方向に押し上げられることで、伝達部材収納部３５６に形成されたボス３５６ｂに当接し、この位置で上方向への回動が規制される。すなわち、図１３（ａ）に示す状態が、第１可動演出部材３２０、第２可動演出部材３２１の下限位置となる。
【０１２７】
そして、図１３（ａ）に示すように、画像表示装置１５の表示部１５ａの前面側に現出した第１可動演出部材３２０、第２可動演出部材３２１を常態位置に戻す際には、駆動モータ３５１を反転させることで上述と逆の動作を行えばよい。ここで、上述したように、第１被係合部材３５３、第２被係合部材３５４はそれぞれ、第１付勢部材３５７、第２付勢部材３５９によって、第１可動演出部材３２０、第２可動演出部材３２１が常態位置に戻る方向へ付勢されている。よって、この付勢力で第１可動演出部材３２０、第２可動演出部材３２１が状態位置に戻るので、駆動モータ３５１にかかる負担が軽減されるようになっている。
【０１２８】
なお、図１２（ａ）に示すように、第１可動演出部材３２０が画像表示装置１５の表示部１５ａの前面側に現出した状態で駆動モータ３５１を反転させ常態位置に戻せば、第１可動演出部材３２０のみを独立して動作させることも可能である。すなわち、第１可動演出部材３２０と第２可動演出部材３２１の動作タイミングをずらしたことで、より多様な演出ができるようになっている。また、第１可動演出部材３２０、第２可動演出部材３２１の動作パターンも任意であり、単に画像表示装置１５の表示部１５ａの前面側に現出させるだけでなく、現出と退避を繰り返したり、上下に振動させたりして演出の効果を高めるようにしても良い。
【０１２９】
以上のことから、遊技盤１に形成された遊技領域１ａに配設され、前面側が開口した凹室１６の奥手側に窓部（表示窓部１２）が形成されるセンターケース１１と、センターケース１１の窓部に表示部１５ａが臨むように配設される画像表示装置１５と、画像表示装置１５における表示を制御する表示制御手段と、を備え、画像表示装置１５の表示態様が予め定められた特定表示態様となる場合に遊技者にとって有利な特別遊技状態を発生可能な遊技機１００において、センターケース１１の上部に配設され、遊技に関する演出を行う可動演出機構を備え、可動演出機構は、センターケース１１の凹室１６内上部に配設され、画像表示装置１５の表示態様に関連して可動可能な可動演出部材（第１可動演出部材３２０、第２可動演出部材３２１）と、可動演出部材と所定間隔を介してセンターケース１１の後方に配設され、表示制御手段により制御されて可動演出部材を可動させるための駆動モータ３５１と、駆動モータ３５１と可動演出部材との間に配設され、駆動モータ３５１の動力を可動演出部材に伝達する動力伝達部材と、を備えたこととなる。
【０１３０】
また、駆動モータ３５１が正転した場合には、第１リンク部材３２８及び第２リンク部材３４０が下方向に回動されることにより、第１可動演出部材３２０及び第２可動演出部材３２１が下方向に回動する一方、駆動モータ３５１が反転した場合には、第１リンク部材３２８及び第２リンク部材３４０が上方向に回動されることにより、第１可動演出部材３２０及び第２可動演出部材３２１が上方向に回動するよう構成し、第１回転体の係合部が第１リンク部材３２８に係合するよりも所定間隔だけ遅れて第２回転体の係合部が第２リンク部材３４０に係合するように設定したこととなる。
【０１３１】
また、第１可動演出部材３２０及び／又は第２可動演出部材３２１は、下方向に回動されると全体あるいは一部が画像表示装置１５の表示部１５ａの前面を覆う状態になるようにしている。
【０１３２】
以上のような遊技機１００は、遊技盤１に形成された遊技領域１ａに配設され、前面側が開口した凹室１６の奥手側に窓部（表示窓部１２）が形成されるセンターケース１１と、センターケース１１の窓部に表示部１５ａが臨むように配設される画像表示装置１５と、画像表示装置１５における表示を制御する表示制御手段と、を備え、画像表示装置１５の表示態様が予め定められた特定表示態様となる場合に遊技者にとって有利な特別遊技状態を発生可能な遊技機１００であって、センターケース１１の上部に配設され、遊技に関する演出を行う可動演出機構を備え、可動演出機構は、センターケース１１の凹室１６内上部に配設され、画像表示装置１５の表示態様に関連して可動可能な可動演出部材（第１可動演出部材３２０、第２可動演出部材３２１）と、可動演出部材と所定間隔を介してセンターケース１１の後方に配設され、表示制御手段により制御されて可動演出部材を可動させるための駆動モータ３５１と、駆動モータ３５１と可動演出部材との間に配設され、駆動モータ３５１の動力を可動演出部材に伝達する動力伝達部材と、を備え、可動演出部材は、センターケース１１の凹室１６内の左右一側に配設され、左右一端側が該凹室１６内奥手側壁に軸着されることで他端側が上下に回動可能である横長な第１可動演出部材３２０と、センターケース１１の凹室１６内の左右他側に配設され、左右一端側が該凹室１６内奥手側壁に軸着されることで他端側が上下に回動可能である横長な第２可動演出部材３２１と、からなり、動力伝達部材は、第１可動演出部材３２０の回動端側に一端側が軸着されるとともに、第１可動演出部材３２０の軸着端側寄りに形成される作動片３２６に回動端側が係合する第１リンク部材３２８と、第２可動演出部材３２１の回動端側に一端側が軸着されるとともに、第２可動演出部材３２１の軸着端側寄りに形成される作動片３３８に回動端側が係合する第２リンク部材３４０と、第１リンク部材３２８に接続され、当該第１リンク部材３２８の回動端側が上方向に回動するように付勢する第１付勢部材３５７と、第２リンク部材３４０に接続され、当該第２リンク部材３４０の回動端側が上方向に回動するように付勢する第２付勢部材３５９と、第１リンク部材３２８に係合する係合部（第１係合部３６５ａ）が形成され、駆動モータ３５１の駆動力を受けて回転することにより当該係合部が（第１被係合部材３５３を介して）第１リンク部材３２８に係合し、第１付勢部材３５７の付勢力に抗して該第１リンク部材３２８の回動端側を下方向に回動させる第１回転体（第３歯車３６５）と、第２リンク部材３４０に係合する係合部（第２係合部３６６ａ）が形成され、駆動モータ３５１の駆動力を受けて回転することにより当該係合部が（第２被係合部材３５４を介して）第２リンク部材３４０に係合し、第２付勢部材３５９の付勢力に抗して該第２リンク部材３４０の回動端側を下方向に回動させる第２回転体（第４歯車３６６）と、を備え、駆動モータ３５１が正転した場合には、第１リンク部材３２８及び第２リンク部材３４０が下方向に回動されることにより、第１可動演出部材３２０及び第２可動演出部材３２１が下方向に回動する一方、駆動モータ３５１が反転した場合には、第１リンク部材３２８及び第２リンク部材３４０が上方向に回動されることにより、第１可動演出部材３２０及び第２可動演出部材３２１が上方向に回動するよう構成し、第１回転体の係合部が第１リンク部材３２８に係合するよりも所定間隔だけ遅れて第２回転体の係合部が第２リンク部材３４０に係合するように設定している。
【０１３３】
したがって、第１回転体（第３歯車３６５）の係合部（第１係合部３６５ａ）が第１リンク部材３２８に係合するよりも所定間隔だけ遅れて第２回転体（第４歯車３６６）の係合部（第２係合部３６６ａ）が第２リンク部材３４０に係合するように設定したので、一つの駆動モータ３５１（電気的駆動源）で第１可動演出部材３２０と第２可動演出部材３２１を動作させたとしても、第１リンク部材３２８は所定間隔の間（第１回転体の係合部が第１リンク部材３２８に係合してから第２回転体の係合部が第２リンク部材３４０に係合するまでの間）において第２リンク部材３４０とは独立して動作することが可能となり、可動演出部材による演出態様が多様化することによって演出効果を向上させることができる。
【０１３４】
また、第１リンク部材３２８の回動端側が上方向に回動するように付勢する第１付勢部材３５７を第１リンク部材３２８に接続し、第２リンク部材３４０の回動端側が上方向に回動するように付勢する第２付勢部材３５９を第２リンク部材３４０に接続したので、特に駆動モータ３５１に負荷がかかる可動演出部材の上方向への回動動作は、第１付勢部材３５７と第２付勢部材３５９の付勢力により行われる（補助される）ようになり、駆動モータ３５１にかかる負荷が軽減されて故障や動作不良等の不具合が起こり難くなるし、駆動力の強い駆動モータ３５１を使用する必要もなくなる。
【０１３５】
さらに、リンク部材（第１リンク部材３２８、第２リンク部材３４０）を、可動演出部材（第１可動演出部材３２０、第２可動演出部材３２１）の回動端側に一端側を軸着するとともに、可動演出部材の軸着端側寄りに形成される作動片３２６，３３８に回動端側が係合させることにより、可動演出部材とリンク部材を横方向に並べて配置する場合に比べて配置スペースが少なくて済むし、作動片３２６，３３８が可動演出部材の軸着端側寄りに形成されているので、リンク部材の回動幅が小さくても可動演出部材は大きな動きをすることができるので、演出効果を高めることができる。
【０１３６】
また、第１可動演出部材３２０及び／又は第２可動演出部材３２１は、下方向に回動されると全体あるいは一部が画像表示装置１５の表示部１５ａの前面を覆う状態になる。
【０１３７】
したがって、第１可動演出部材３２０及び／又は第２可動演出部材３２１が下方向に回動されると全体あるいは一部が画像表示装置１５の表示部１５ａの前面を覆う状態になるので、画像表示装置１５の表示部１５ａの表示内容と連動させることができ、興趣性の高い演出を行うことができる。
【０１３８】
また、第１可動演出部材３２０は、第２可動演出部材３２１よりも大きく形成されている。
【０１３９】
したがって、独立して動作することができる第１可動演出部材３２０を、第２可動演出部材３２１よりも大きく形成することで、第１可動演出部材３２０による演出効果を向上させることができる。
【０１４０】
また、可動演出部材（第１可動演出部材３２０、第２可動演出部材３２１）と駆動モータ３５１との間に、当該可動演出部材を照明する照明部材３０２を備え、照明部材３０２は、発光体（ＬＥＤ３０２ａ）と、該発光体からの光を拡散させる光拡散シート３０２ｃからなる。
【０１４１】
したがって、照明部材３０２により可動演出部材を照明することができるので、遊技者の視線を可動演出部材に注視させることができるので演出効果を高めることができる。また、照明部材３０２が発光体と、発光体からの光を拡散させる光拡散シート３０２ｃからなるので、発光体からの光を拡散させて可動演出部材を照明することができ、可動演出部材を幻想的に見せることができて演出効果が高まる。さらに、可動演出部材が可動されることにより、遊技者の目に映る照明部材３０２からの光が変化することになるので、照明効果が高まる。
【０１４２】
なお、本発明の遊技機は、遊技機として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【０１４３】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１４４】
【図１】本発明を適用した一実施の形態の構成を示す遊技盤の正面図である。
【図２】センターケースの前面側から見た斜視図である。
【図３】センターケースの前面側から見た分解斜視図である。
【図４】前側構成ユニットの前面側から見た分解斜視図である。
【図５】後側構成ユニットの前面側から見た分解斜視図である。
【図６】後側ステージユニットの分解斜視図である。
【図７】センターケースの断面図であって、（ａ）上部の断面図、（ｂ）下部の断面図である。
【図８】可動ユニットの構成を示す図であって、（ａ）可動ユニットベースを前面側から見た斜視図、（ｂ）動力伝達部材を前面側から見た斜視図である。
【図９】後側ユニットベースにおける可動ユニットが配された部分を示す図であって、可動ユニットベース部材を取り外した状態を示す背面図である。
【図１０】可動演出機構の裏面側から見た斜視図である。
【図１１】可動演出機構の動作を説明する図であって、（ａ）非動作時におけるセンターケースの正面図、（ｂ）非動作時における可動ユニットの状態を示す背面図である。
【図１２】可動演出機構の動作を説明する図であって、（ａ）第１可動演出部材のみを動作した状態におけるセンターケースの正面図、（ｂ）第１可動演出部材のみを動作した状態における可動ユニットの状態を示す背面図である。
【図１３】可動演出機構の動作を説明する図であって、（ａ）第１可動演出部材および第２可動演出部材を動作させた状態におけるセンターケースの正面図、（ｂ）第１可動演出部材および第２可動演出部材を動作させた状態における可動ユニットの状態を示す背面図である。
【符号の説明】
【０１４５】
１        遊技盤
１ａ      遊技領域
１１      センターケース
１２      表示窓部（窓部）
１５      画像表示装置
１５ａ    表示部
１６      凹室
１７      ステージ
１００    遊技機
２００    前側構成ユニット
３００    後側構成ユニット
３０２    照明部材
３０２ａ  ＬＥＤ（発光体）
３０２ｃ  光拡散シート
３２０    第１可動演出部材（可動演出部材、可動演出機構）
３２１    第２可動演出部材（可動演出部材、可動演出機構）
３２６    作動片
３２８    第１リンク部材（リンク部材、動力伝達部材、可動演出機構）
３３８    作動片
３４０    第２リンク部材（リンク部材、動力伝達部材、可動演出機構）
３５０    可動ユニット（動力伝達部材、可動演出機構）
３５１    駆動モータ（可動演出機構）
３５３    第１被係合部材（動力伝達部材、可動演出機構）
３５４    第２被係合部材（動力伝達部材、可動演出機構）
３５７    第１付勢部材（動力伝達部材、可動演出機構）
３５９    第２付勢部材（動力伝達部材、可動演出機構）
３６５    第３歯車（第１回転体、動力伝達部材、可動演出機構）
３６５ａ  第１係合部（係合部）
３６６    第４歯車（第２回転体、動力伝達部材、可動演出機構）
３６６ａ  第２係合部（係合部）
【図１】
2007195810.tif 000003
【図２】
2007195810.tif 000004
【図３】
2007195810.tif 000005
【図４】
2007195810.tif 000006
【図５】
2007195810.tif 000007
【図６】
2007195810.tif 000008
【図７】
2007195810.tif 000009
【図８】
2007195810.tif 000010
【図９】
2007195810.tif 000011
【図１０】
2007195810.tif 000012
【図１１】
2007195810.tif 000013
【図１２】
2007195810.tif 000014
【図１３】
2007195810.tif 000015